(57)【要約】【課題】サブディスプレイ用のメモリをメインディスプレイ用のメモリと一体化するとともに、サブディスプレイ用の表示データを間引いて記憶することにより、経済化および低消費電力化を達成し得る液晶表示装置を提供する。【解決手段】ドライバ兼表示メモリ１を可変的に分割した一方にメインディスプレイ用メモリエリア１ｍを構成し、他方にサブディスプレイ用メモリエリア１ｓを構成し、メインディスプレイ用メモリエリア１ｍに記憶された表示データをメインディスプレイ５に表示し、サブディスプレイ用メモリエリア１ｓに記憶された表示データをサブディスプレイ７に表示するとともに、メインディスプレイ用メモリエリア１ｍおよびサブディスプレイ用メモリエリア１ｓのそれぞれに記憶された表示データのメモリ容量に基づいてメインディスプレイ用メモリエリア１ｍとサブディスプレイ用メモリエリア１ｓの大きさを可変制御する。【選択図】図１
2005215643.tif 000002
【特許請求の範囲】
【請求項１】
メインディスプレイとサブディスプレイの少なくとも２つのディスプレイを表示制御する液晶表示装置であって、
所定のメモリ容量を有する単一のメモリエリアを可変的に分割して得られる一方のメモリエリアにメインディスプレイ用の表示データを記憶する可変メインディスプレイ用メモリエリアを構成し、他方のメモリエリアにサブディスプレイ用の表示データを記憶する可変サブディスプレイ用メモリエリアを構成するメモリ手段と、
前記可変メインディスプレイ用メモリエリアに記憶されたメインディスプレイ用表示データをメインディスプレイに表示させると共に、可変サブディスプレイ用メモリエリアに記憶されたサブディスプレイ用表示データをサブディスプレイに表示させるように駆動する表示駆動手段と、
前記可変メインディスプレイ用メモリエリアおよび可変サブディスプレイ用メモリエリアの大きさをそれぞれのメモリエリアに記憶される表示データのメモリ容量に基づいて可変制御するメモリエリア可変制御手段と
を有することを特徴とする液晶表示装置。
【請求項２】
前記サブディスプレイ用の表示データを前記可変サブディスプレイ用メモリエリアに間引いて記憶するように制御する間引き記憶制御手段を有することを特徴とする請求項１記載の液晶表示装置。
【請求項３】
前記間引き記憶制御手段で間引かれて前記可変サブディスプレイ用メモリエリアに記憶されたサブディスプレイ用の表示データを前記間引かれた状態に応じてサブディスプレイに表示させるように制御する間引き表示制御手段を有することを特徴とする請求項２記載の液晶表示装置。
【請求項４】
前記可変サブディスプレイ用メモリエリアからサブディスプレイ用の表示データを複数回読み出す複数回読み出し手段と、
この複数回読み出したサブディスプレイ用の表示データを前記サブディスプレイに任意の倍率で表示する倍角表示手段と
を有することを特徴とする請求項１乃至３のいずれか１項に記載の液晶表示装置。
【請求項５】
メインディスプレイとサブディスプレイの少なくとも２つのディスプレイを表示制御する液晶表示装置であって、
メインディスプレイの各画素に表示データを含む信号を供給するようにメインディスプレイに配設される複数のメインディスプレイ用信号線と、
これら複数のメインディスプレイ用信号線に接続され、これら複数のメインディスプレイ用信号線を介して供給されるサブディスプレイ用の表示データを含む信号をサブディスプレイの各画素に供給する複数のサブディスプレイ用接続信号線と
を有することを特徴とする液晶表示装置。
【発明の詳細な説明】
【技術分野】
【０００１】
本発明は、メインディスプレイとサブディスプレイの少なくとも２つのディスプレイを表示制御するアクティブマトリックス駆動方式の液晶表示装置に関する。
【背景技術】
【０００２】
一般に、折り畳み式の携帯電話は、開いたときに表示される大きな画面のメインディスプレイと閉じているときに外表面に表示される小さな画面のサブディスプレイからなる２つの液晶ディスプレイを有する。
【０００３】
このメインディスプレイとサブディスプレイからなる２つの液晶ディスプレイは、アクティブマトリックス駆動方式でそれぞれ別々に表示駆動制御される別個の液晶モジュールとして、すなわち各々が液晶表示部、表示メモリ部、表示駆動部からなるメインディスプレイ用液晶モジュールとサブディスプレイ用液晶モジュールとなる２つの別個の液晶モジュールとして従来構成されたり、更にはメインディスプレイ用液晶に搭載された画像メモリ内蔵のドライバＩＣで駆動するように構成されている。
【特許文献１】特願平号公報
【発明の開示】
【発明が解決しようとする課題】
【０００４】
上述したように、メインディスプレイとサブディスプレイからなる２つの液晶ディスプレイをそれぞれ別個の２つの液晶モジュールで構成する場合には、２つの液晶モジュールのそれぞれに表示駆動部、すなわちドライバＩＣが必要となり、コストが高くなるという問題がある。
【０００５】
また、メインディスプレイ用液晶に搭載された画像メモリ内蔵のドライバＩＣで駆動する場合には、近年のメインディスプレイの高精細化、高密度実装により低温ポリシリコン液晶を使用して信号線３選択駆動方式が必要となるため、サブディスプレイも同様に３選択駆動方式となってしまい、消費電力が増大するという問題がある。
【０００６】
本発明は、上記に鑑みてなされたもので、その目的とするところは、サブディスプレイ用のメモリをメインディスプレイ用のメモリと一体化するとともに、サブディスプレイ用の表示データを間引いて記憶することにより、経済化および低消費電力化を達成し得る液晶表示装置を提供することにある。
【課題を解決するための手段】
【０００７】
請求項１記載の本発明の液晶表示装置は、メインディスプレイとサブディスプレイの少なくとも２つのディスプレイを表示制御する液晶表示装置であって、所定のメモリ容量を有する単一のメモリエリアを可変的に分割して得られる一方のメモリエリアにメインディスプレイ用の表示データを記憶する可変メインディスプレイ用メモリエリアを構成し、他方のメモリエリアにサブディスプレイ用の表示データを記憶する可変サブディスプレイ用メモリエリアを構成するメモリ手段と、前記可変メインディスプレイ用メモリエリアに記憶されたメインディスプレイ用表示データをメインディスプレイに表示させると共に、可変サブディスプレイ用メモリエリアに記憶されたサブディスプレイ用表示データをサブディスプレイに表示させるように駆動する表示駆動手段と、前記可変メインディスプレイ用メモリエリアおよび可変サブディスプレイ用メモリエリアの大きさをそれぞれのメモリエリアに記憶される表示データのメモリ容量に基づいて可変制御するメモリエリア可変制御手段とを有することを要旨とする。
【０００８】
請求項２記載の本発明の液晶表示装置は、前記サブディスプレイ用の表示データを前記可変サブディスプレイ用メモリエリアに間引いて記憶するように制御する間引き記憶制御手段を有することを要旨とする。
【０００９】
請求項３記載の本発明の液晶表示装置は、前記間引き記憶制御手段で間引かれて前記可変サブディスプレイ用メモリエリアに記憶されたサブディスプレイ用の表示データを前記間引かれた状態に応じてサブディスプレイに表示させるように制御する間引き表示制御手段を有することを要旨とする。
【００１０】
請求項４記載の本発明の液晶表示装置は、前記可変サブディスプレイ用メモリエリアからサブディスプレイ用の表示データを複数回読み出す複数回読み出し手段と、この複数回読み出したサブディスプレイ用の表示データを前記サブディスプレイに任意の倍率で表示する倍角表示手段とを有することを要旨とする。
【００１１】
請求項５記載の本発明の液晶表示装置は、メインディスプレイとサブディスプレイの少なくとも２つのディスプレイを表示制御する液晶表示装置であって、メインディスプレイの各画素に表示データを含む信号を供給するようにメインディスプレイに配設される複数のメインディスプレイ用信号線と、これら複数のメインディスプレイ用信号線に接続され、これら複数のメインディスプレイ用信号線を介して供給されるサブディスプレイ用の表示データを含む信号をサブディスプレイの各画素に供給する複数のサブディスプレイ用接続信号線とを有することを要旨とする。
【発明の効果】
【００１２】
本発明によれば、単一のメモリエリアを可変的に分割して得られる一方のメモリエリアに可変メインディスプレイ用メモリエリアを構成し、他方のメモリエリアに可変サブディスプレイ用メモリエリアを構成し、可変メインディスプレイ用メモリエリアの表示データをメインディスプレイに表示し、可変サブディスプレイ用メモリエリアの表示データをサブディスプレイに表示し、各メモリエリアに記憶される表示データのメモリ容量に基づいてそれぞれのメモリエリアの大きさを可変制御するので、１つのメモリエリアを可変的にメインディスプレイ用メモリエリアとサブディスプレイ用メモリエリアの少なくとも２つに共通的に使用できるとともに、１つの表示駆動手段をメインディスプレイ用とサブディスプレイ用の少なくとも２つに共通的に使用でき、価格を大幅に低減でき、経済化を図ることができる。
【００１３】
また、本発明によれば、サブディスプレイ用の表示データを可変サブディスプレイ用メモリエリアに間引いて記憶するので、この間引いて記憶されたデータを表示駆動することにより、間引いた分、消費電力を低減することができる。
【００１４】
本発明によれば、間引かれて記憶されたサブディスプレイ用の表示データは、間引かれた状態に応じてサブディスプレイに表示駆動されるので、間引きにより、内蔵のアナログスイッチを駆動することなく表示することができ、その分消費電力を低減でき、例えば携帯電話の動作電源を構成するバッテリの消費電力を抑制でき、バッテリの使用時間を延ばすことができる。
【００１５】
本発明によれば、可変サブディスプレイ用メモリエリアからサブディスプレイ用の表示データを複数回読み出し、この複数回読み出したサブディスプレイ用の表示データをサブディスプレイに任意の倍率、例えば縦倍角で表示するので、そのまま表示された場合には小さくて見難い表示情報でも倍角に拡大されて大きく表示され、見易さを向上することができる。
【００１６】
本発明によれば、メインディスプレイの各画素に表示データを含む信号を供給するようにメインディスプレイに配設された複数のメインディスプレイ用信号線をサブディスプレイに接続し、複数のメインディスプレイ用信号線を介してサブディスプレイの各画素にサブディスプレイ用の表示データを含む信号を供給するので、サブディスプレイを表示駆動するための信号配線を余分に必要せず、全体の配線を低減でき、製造上の歩留りの向上、経済化を図ることができる。
【発明を実施するための最良の形態】
【００１７】
以下、図面を用いて、本発明を実施するための最良の形態（以下、実施形態と称する）を説明する。
【００１８】
図１は、本発明の一実施形態に係わる液晶表示装置の構成を概略的に示す図である。同図に示す液晶表示装置は、例えば折り畳み式の携帯電話に使用されるものであり、表示データを記憶するとともに、この記憶した表示データをディスプレイに表示するように駆動する機能を有し、本発明のメモリ手段と表示駆動手段を構成するドライバ兼表示メモリ１と、このドライバ兼表示メモリ１に記憶された表示データを表示するメインディスプレイ５およびサブディスプレイ７とを有する。なお、ドライバ兼表示メモリ１で構成される表示駆動手段は、例えばドライバＩＣなどで構成され、メモリ手段は例えばＳＲＡＭで構成される。
【００１９】
ドライバ兼表示メモリ１のメモリ手段は、所定のメモリ容量、例えば３５２ライン分の表示データを記憶するメモリ容量のメモリエリアを有し、このメモリエリアを可変的に分割して得られる一方にメインディスプレイ５用の表示データを記憶するメインディスプレイ用メモリエリア１ｍを構成し、他方にサブディスプレイ７用の表示データを記憶するサブディスプレイ用メモリエリア１ｓを構成し、またドライバ兼表示メモリ１の表示駆動手段は、メインディスプレイ用メモリエリア１ｍに記憶されたメインディスプレイ用表示データをメインディスプレイ５に表示駆動し、サブディスプレイ用メモリエリア１ｓに記憶されたサブディスプレイ用の表示データをサブディスプレイ７に表示駆動するように構成されいる。
【００２０】
なお、メインディスプレイ用メモリエリア１ｍおよびサブディスプレイ用メモリエリア１ｓは、上述したように、ドライバ兼表示メモリ１のメモリエリアを可変的分割して構成されるものであり、本発明の可変メインディスプレイ用メモリエリアおよび可変サブディスプレイ用メモリエリアを構成しているものである。
【００２１】
また、ドライバ兼表示メモリ１のメモリエリアを可変的に分割して構成されるメインディスプレイ用メモリエリア１ｍおよびサブディスプレイ用メモリエリア１ｓのそれぞれの大きさは、それぞれのメモリエリアに記憶される表示データのメモリ容量に基づいて図示しない制御部に設けられた本発明のメモリエリア可変制御手段により可変制御されるものである。
【００２２】
具体的に説明すると、図１（ａ）では、メインディスプレイ用メモリエリア１ｍは、一例として人形の顔の絵を表示するに必要な表示データに相当する例えば３２０ライン分のメモリ容量の所でドライバ兼表示メモリ１を分割して構成され、サブディスプレイ用メモリエリア１ｓは、一例として「ＡＢＣＤＥ」なるテキストを表示するに必要な表示データに相当する例えば３２ライン分のメモリ容量の所でドライバ兼表示メモリ１を分割して構成されている。
【００２３】
これに対して、図１（ｂ）に示すドライバ兼表示メモリ１においては、メモリエリア可変制御手段の可変制御により、メインディスプレイ用メモリエリア１ｍは、「ＡＢＣＤＥ」なるテキストを非表示部分をもって表示するに必要な表示データに相当する例えば１９２ライン分のメモリ容量の所でドライバ兼表示メモリ１を分割して構成され、サブディスプレイ用メモリエリア１ｓは、人形の顔の絵を表示するに必要な表示データに相当する例えば１６０ライン分のメモリ容量の所でドライバ兼表示メモリ１を分割して構成されている。
【００２４】
上述したように、ドライバ兼表示メモリ１のメモリエリアは、メモリエリア可変制御手段の可変制御により、任意のメモリ容量の２つのメモリエリアであるメインディスプレイ用メモリエリア１ｍとサブディスプレイ用メモリエリア１ｓとに可変的に分割されるように構成されているが、サブディスプレイ用メモリエリア１ｓは、本実施形態では、一例として少なくとも図１（ａ）に示す３２ライン分のメモリ容量から図１（ｂ）に示す１６０ライン分のメモリ容量を有するように構成される。
【００２５】
そして、ドライバ兼表示メモリ１のメインディスプレイ用メモリエリア１ｍおよびサブディスプレイ用メモリエリア１ｓにそれぞれ記憶されたメインディスプレイ用表示データおよびサブディスプレイ用表示データは、ドライバ兼表示メモリ１からアナログスイッチ３を介してメインディスプレイ５およびサブディスプレイ７にそれぞれ供給されて表示駆動されるが、本実施形態では、メインディスプレイ５は、図１（ａ）においてメインディスプレイ用メモリエリア１ｍに記憶された少なくとも３２ライン分の表示データを表示することができ、サブディスプレイ７は、図１（ｂ）においてサブディスプレイ用メモリエリア１ｓに記憶されたか少なくとも１６０ライン分の表示データを表示することができるように構成されている。
【００２６】
このように、メインディスプレイ用メモリエリア１ｍは少なくとも３２０ライン分の表示データを表示することができ、サブディスプレイ用メモリエリア１ｓは少なくとも１６０ライン分の表示データを表示することができるように構成されている。
【００２７】
このように、メインディスプレイ用メモリエリア１ｍは少なくとも３２０ライン分の表示データを表示することができ、サブディスプレイ用メモリエリア１ｓは少なくとも１６０ライン分の表示データを表示することができるように構成されているため、例えば図１（ａ）のサブディスプレイ用メモリエリア１ｓで示すように、サブディスプレイ用メモリエリア１ｓに記憶された表示データのメモリ容量が例えば「ＡＢＣＤＥ」なるテキストデータの３２ライン分のように、上記１６０ライン分よりも少ない場合には、図１（ａ）のサブディスプレイ７に示すように、３２ライン分の「ＡＢＣＤＥ」なるテキストデータを例えば２回ずつ読み出して倍角で表示する縦倍角表示で表示した場合においても、サブディスプレイ７においては、中央のテキスト表示エリア７ａに例えば「ＡＢＣＤＥ」なるテキストデータの３２ライン分の２倍の６４ライン分が表示され、その上下には非表示エリア７ｂ、７ｃが形成され、この非表示エリア７ｂ、７ｃには表示は行なわれないというように非表示部分が発生する。
【００２８】
同様に、メインディスプレイ５においても、例えば図１（ｂ）のメインディスプレイ用メモリエリア１ｍで示すように、メインディスプレイ用メモリエリア１ｍに記憶された表示データのメモリ容量が例えば「ＡＢＣＤＥ」なるテキストデータのように、上記３２０ライン分よりも少なく、この「ＡＢＣＤＥ」なるテキストデータの表示されたテキスト表示メモリエリア１ｍａの上下に非表示メモリエリア１ｍｂ、１ｍｃを有する場合には、図１（ｂ）のメインディスプレイ５に示すように、この３２０ラインより少ない「ＡＢＣＤＥ」なるテキストデータを同様に２回ずつ読み出して任意の倍率、例えば縦方向を倍角で表示する縦倍角表示で表示した場合においても、メインディスプレイ５においては、中央のテキスト表示メモリエリア３ａに「ＡＢＣＤＥ」なるテキストデータが表示され、その上下に非表示メモリエリア３ｂ、３ｃが形成され、この非表示エリア３ｂ、３ｃには表示は行なわれないというように非表示部分が発生する。
【００２９】
図２（ａ）は、ドライバ兼表示メモリ１のサブディスプレイ用メモリエリア１ｓのみに一例として「ＡＢＣＤＥ」なるテキストデータの表示データを記憶し、この表示データを２回ずつ読み出して倍角で表示する縦倍角表示でサブディスプレイ７のみに表示し、メインディスプレイ５を非表示とした場合の例を示す説明図である。
【００３０】
また、図２（ｂ）は、ドライバ兼表示メモリ１のサブディスプレイ用メモリエリア１ｓのみに一例として人形の顔の絵の表示データを記憶し、この表示データをサブディスプレイ７のみに表示し、メインディスプレイ５を非表示とした場合の例を示す説明図である。
【００３１】
図２（ｃ）は、表示メモリ１のメインディスプレイ用メモリエリア１ｍのみに一例として人形の顔の絵の表示データを記憶し、この表示データをメインディスプレイ５のみに表示し、サブディスプレイ７を非表示とした場合の例を示す説明図である。
【００３２】
上述した図１（ａ）、（ｂ）および図２（ａ）、（ｂ）、（ｃ）に示すようにメインディスプレイ５およびサブディスプレイ７でテキストデータや人形の顔の絵などのデータを表示した状態において、図１（ａ）、（ｂ）のようにメインディスプレイ５とサブディスプレイ７の両ディスプレイにデータを表示した場合には、メインディスプレイ５およびサブディスプレイ７の両ディスプレイを例えば６０Ｈｚで順次リフレッシュし、また図２（ａ）、（ｂ）に示すようにサブディスプレイ７のみでデータを表示した場合には、サブディスプレイ７のみを例えば６０Ｈｚでリフレッシュし、更に図２（ｃ）に示すようにメインディスプレイ５のみでデータを表示した場合には、メインディスプレイ５のみを例えば６０Ｈｚでリフレッシュするようになっている。
【００３３】
図３、特に図３（ｂ）は、図１、２と同様に図３（ａ）に示すドライバ兼表示メモリ１、メインディスプレイ５、サブディスプレイ７の構成に対する詳細なメモリビット構成および画素構成を示す説明図である。
【００３４】
すなわち、ドライバ兼表示メモリ１の最小メモリ単位は、各データビットが表示色を決定する三原色のＲ（赤）、Ｇ（緑）、Ｂ（青）に対応する３ビットを単位とするＲＧＢ画素対応最小基本単位であり、このＲＧＢ画素対応最小基本単位のメモリ単位がメインディスプレイ用メモリエリア１ｍに対しては上述したように３２０ライン分、サブディスプレイ用メモリエリア１ｓに対して３２ライン分設けられて構成されている。なお、３２０ラインおよび３２ラインの各ラインを構成するＲＧＢ画素対応最小基本単位の数は、本実施形態では特に明記しないが、所望の画素分設けられているものであることは勿論のことである。
【００３５】
前記ＲＧＢ画素対応最小基本単位は、更に詳しくは、ＲＧＢに対応する３ビットの各々に対して画像の濃淡を表す階調を示す６ビットをもって構成され、これにより各ＲＧＢ画素対応最小基本単位は６×３ビットの１８ビットで構成されている。すなわち、各ＲＧＢ画素対応最小基本単位は各画素の表示色および階調を定義するように６×３ビットで構成されているが、図３では図面の簡単化のためにＲＧＢに対応する３ビットのみを示している。
【００３６】
上述したドライバ兼表示メモリ１の構成に対してメインディスプレイ５およびサブディスプレイ７は、前記ＲＧＢ画素対応最小基本単位に対応する画素構成としてＲＧＢの３ビットで構成され、この３ビットのＲＧＢ基本画素をメインディスプレイ５およびサブディスプレイ７で表示ライン分設けて構成されている。なお、メインディスプレイ５およびサブディスプレイ７の各ラインを構成するＲＧＢ基本画素の数は、本実施形態では特に明記しないが、ドライバ兼表示メモリ１の場合と同様に所望の画素分設けられているものであることは勿論のことである。
【００３７】
なお、このＲＧＢの３ビットからなる各ＲＧＢ基本画素は、薄膜トランジスタ（ＴＦＴ）、液晶からなる画素電極（液晶容量）、コンデンサ（補助容量）から構成され、ＲＧＢの３ビットで表示色を決定し、階調信号に基づき階調を決定するようになっている。
【００３８】
ドライバ兼表示メモリ１に記憶される表示データのうち、メインディスプレイ用メモリエリア１ｍに記憶される表示データは、図３（ａ）に示すように、メインディスプレイ用メモリエリア１ｍを構成する全てのＲＧＢ画素対応最小基本単位に記憶されるのに対して、サブディスプレイ用メモリエリア１ｓに記憶される表示データは、図３（ｂ）に示すように、１／３に間引かれて記憶されるように図示しない制御部に設けられた間引き記憶制御手段により間引き制御されている。更に詳しくは、サブディスプレイ用メモリエリア１ｓの３×６ビットからなるＲＧＢ画素対応最小基本単位は、１／３に間引かれることにより、１／３×３×６ビットに低減された部分のみにデータが記憶されるようになっている。
【００３９】
すなわち、サブディスプレイ用メモリエリア１ｓへの表示データの記憶は、図３（ｂ）において３つの矩形の桝目からなる１つのＲＧＢ画素対応最小基本単位に対してＲＧＢの１つの表示データ、すなわちＲまたはＧまたはＢの１つの表示データのみを３つの桝目のうち１つに記憶し、他の２つの桝目はデータを記憶せずに空白で図示され、１／３に間引かれている。
【００４０】
換言すると、３つの桝目からなる１つのＲＧＢ画素対応最小基本単位に対してＲＧＢの１つの表示データのみを記憶し、２つの桝目は使用されずに余っているので、ＲＧＢの３つのデータを記憶するには、図３（ｂ）に示すように、３つのＲＧＢ画素対応最小基本単位、すなわち同図では９つの桝目を必要とし、この９つの桝目のうち３つの桝目のみをデータの記憶のために使用し、他の６つの桝目はデータの記憶に使用されずに間引かれている。
【００４１】
従って、上述したように１／３に間引かれてサブディスプレイ用メモリエリア１ｓに記憶された表示データを表示するサブディスプレイ７は、図３（ｂ）に示すように、サブディスプレイ用メモリエリア１ｓにおける１／３の間引き状態に対応するようにＲＧＢ基本画素が１／３に間引かれて記憶構成されている。すなわち、サブディスプレイ７を構成するＲＧＢ基本画素のライン方向の数、すなわち図３（ｂ）においてサブディスプレイ７の横方向のＲＧＢ基本画素の数は、メインディスプレイ５の数に比較して１／３に間引かれ、すなわち低減され、これによりサブディスプレイ７における消費電力を低減している。
【００４２】
なお、図３（ｂ）においては、サブディスプレイ７のＲＧＢ基本画素を構成するＲとＧとＢの間の間隔をあけて描いているが、これは、単にメインディスプレイ５との関係を分かり易く示すために図示しているものであって、実際には、このような間隔はなく、ＲＧＢは三原色原理を達成するように互いに近接し、配置されていることは勿論である。また、図１にも示すように、サブディスプレイ７の横方向の幅がメインディスプレイ５の幅に比較して小さいのは、上述したように間引かれて、ＲＧＢ基本画素の数が少ないためである。
【００４３】
次に、ドライバ兼表示メモリ１に記憶された表示データをメインディスプレイ５およびサブディスプレイ７に表示駆動する場合の表示駆動方式について説明する。
【００４４】
ドライバ兼表示メモリ１のメインディスプレイ用メモリエリア１ｍおよびサブディスプレイ用メモリエリア１ｓに記憶された表示データは、図３（ｂ）に示すように、ドライバ兼表示メモリ１から図示しないドライバＩＣなどの駆動回路およびアナログスイッチ３を介してメインディスプレイ５またはサブディスプレイ７に供給され、各ディスプレイを構成するＲＧＢ基本画素の薄膜トランジスタ（ＴＦＴ）を駆動するようになっている。
【００４５】
なお、アナログスイッチ３は、ドライバ兼表示メモリ１の各ＲＧＢ画素対応最小基本単位から伸びている各信号線に対応して１個ずつ個別に設けられた複数の３点切替アナログスイッチ３１、３２、３３、…３ｍ、３ｎで構成されている。３点切替アナログスイッチ３１、３２、３３、…３ｍ、３ｎの各々は、ドライバ兼表示メモリ１の各ＲＧＢ画素対応最小基本単位から伸びている各信号線に接続される切替用可動接点ｔと、この切替用可動接点ｔが切り替わって接続される３つの固定接点ａ、ｂ、ｃとから構成され、切替用可動接点ｔが図示しない制御回路からの切替接続信号により作動して固定接点ａ、ｂ、ｃのいずれかに接続されるようになっている。なお、図３（ｂ）の状態では、アナログスイッチ３の３点切替アナログスイッチ３１、３２、３３、…３ｍ、３ｎの各々の切替用可動接点ｔは、それぞれの固定接点ｂに接続されている状態にある。
【００４６】
本実施形態の表示駆動方式において、メインディスプレイ用メモリエリア１ｍに間引かれずに記憶された表示データをメインディスプレイ５に表示する場合には、アナログスイッチ３の各切替用可動接点ｔをメインディスプレイ用メモリエリア１ｍからの表示データのＲＧＢに同期させて順次切替えて、アナログスイッチ３の各固定接点ａ、ｂ、ｃに順次接続し、メインディスプレイ５のＲＧＢ基本画素のＲＧＢに順次切替わるようにアナログスイッチ３の各３点切替アナログスイッチを切り替え制御することにより、メインディスプレイ用メモリエリア１ｍに記憶された表示データをそのＲＧＢの順序を間違えずに正確にメインディスプレイ５のＲＧＢ基本画素のＲＧＢに供給して表示するというようにアナログスイッチ３を用いてＲＧＢを順に選択駆動する３選択駆動方式を使用している。
【００４７】
しかしながら、サブディスプレイ用メモリエリア１ｓに図３（ｂ）に示すように１／３に間引かれて記憶された表示データをサブディスプレイ７に表示する場合には、同図に示すように、アナログスイッチ３の切替用可動接点ｔを固定接点ｂに固定的に接続し、すなわちアナログスイッチ３を選択的に駆動することなく、切替用可動接点ｔを固定接点ｂに固定的に接続し、サブディスプレイ用メモリエリア１ｓに間引かれて記憶されたＲＧＢ画素対応最小基本単位のうちのＲまたはＧまたはＢの１つの表示データのみをアナログスイッチ３の各切替用可動接点ｔから３点切替アナログスイッチ３１、３２、３３…３ｍ、３ｎの各々を介して、すなわちアナログスイッチ３の各切替用可動接点ｔから各固定接点ｂを介してサブディスプレイ７のＲＧＢ基本画素のＲまたはＧまたはＢの１つに供給して表示するように制御するという本発明の間引き表示制御手段である選択駆動なし方式を使用している。このような選択駆動なし方式で図３に示すサブディスプレイ７の表示駆動することにより、アナログスイッチ３の複雑な切替制御を不要にするとともに、サブディスプレイ７の画素数を低減でき、消費電力の低減化を図ることができるようになっている。
【００４８】
本発明の間引き表示制御手段について詳しく説明すると、間引き表示制御手段は、図３（ｂ）に示したようにサブディスプレイ用メモリエリア１ｓに間引き記憶制御手段で１／３に間引かれて記憶された表示データをサブディスプレイ７に表示するに当って、この間引かれた状態に応じてサブディスプレイ７に間引き表示駆動するもの、つまりアナログスイッチ３の切替用可動接点ｔを例えば固定接点ｂに固定的に接続することでアナログスイッチ３を選択的に駆動することなく、サブディスプレイ用メモリエリア１ｓのＲＧＢ画素対応最小基本単位のうちのＲまたはＧまたはＢの１つの表示データのみをアナログスイッチ３を介してサブディスプレイ７のＲＧＢ基本画素のＲまたはＧまたはＢの１つに順次供給して表示駆動するという表示駆動方式でサブディスプレイ７用の表示データをサブディスプレイ７に間引き表示制御するものである。
【００４９】
図４は、サブディスプレイ用メモリエリア１ｓに対して表示データを２／３に間引いて記憶するとともに、このように２／３に間引かれて記憶された表示データをサブディスプレイ７に表示駆動するために２選択駆動方式を使用した場合の説明図である。
【００５０】
図４において、サブディスプレイ用メモリエリア１ｓに記憶された表示データは、同図においてメインディスプレイ用メモリエリア１ｍに記憶された表示データとの比較から分かるように、２／３に間引かれて記憶されるように図示しない制御部に設けられた間引き制御手段により制御されている。更に詳しくは、サブディスプレイ用メモリエリア１ｓの３×６ビットからなる各ＲＧＢ画素対応最小基本単位は、２／３に間引かれることにより、２／３×３×６ビットに低減された部分のみにデータが記憶されるようになっている。
【００５１】
すなわち、サブディスプレイ用メモリエリア１ｓへの表示データの記憶は、図４において３つの矩形の桝目からなる１つのＲＧＢ画素対応最小基本単位に対してＲＧＢの２つの表示データ、すなわちＲとＧまたはＢとＲまたはＧとＢなる２つの表示データのみを３つの桝目のうちの２つに記憶し、他の１つの桝目はデータを記憶せずに空白で図示され、２／３に間引かれている。換言すると、３つの桝目からなる１つのＲＧＢ画素対応最小基本単位にＲＧＢのうちの２つの表示データのみを記憶し、１つの桝目は使用されず余っているので、２つのＲＧＢからなる６つの表示データを記憶する場合について説明すると、図４に示すように、９つの桝目を必要とする３つのＲＧＢ画素対応最小基本単位に対して２つのＲＧＢからなる６つの表示データをＲＧまたはＢＲまたはＧＢに分けて記憶しているので、６／９＝２／３に間引いて記憶している。すなわち、同図では２つのＲＧＢデータを記憶するのに、９つの桝目を必要とし、この９つの桝目のうち６つの桝目のみをデータの記憶のために使用し、他の３つの桝目はデータの記憶に使用されずに２／３に間引かれている。
【００５２】
従って、上述したように２／３に間引かれてサブディスプレイ用メモリエリア１ｓに記憶された表示データを表示するサブディスプレイ７は、図４に示すように、サブディスプレイ用メモリエリア１ｓにおける２／３の間引き状態に対応するようにＲＧＢ基本画素が２／３に間引かれて配置構成されている。すなわち、サブディスプレイ７を構成するＲＧＢ基本画素のライン方向の数、すなわち図４においてサブディスプレイ７の横方向のＲＧＢ基本画素の数は、メインディスプレイ５の数に比較して２／３に間引かれ、すなわち低減され、これによりサブディスプレイ７における消費電力を低減している。
【００５３】
なお、図４においては、サブディスプレイ７のＲＧＢ基本画素を構成するＲＧとＢＲとＧＢの間の間隔をあけて描いているが、これは、単にメインディスプレイ５との関係を分かり易く示すために図示しているものであって、実際には、このような間隔はなく、ＲＧＢは三原色原理を達成するように互いに近接し、配置されていることは勿論である。また、図１にも示すように、サブディスプレイ７の横方向の幅がメインディスプレイ５の幅に比較して小さいのは、上述したように間引かれて、ＲＧＢ基本画素の数が少ないためである。
【００５４】
図４に示すように、サブディスプレイ用メモリエリア１ｓに２／３に間引かれて記憶された表示データをサブディスプレイ７に表示する場合には、アナログスイッチ３の各切替用可動接点ｔをサブディスプレイ用メモリエリア１ｓから各信号線を介して順次供給される表示データのＲＧ、ＢＲ、ＧＢに同期させて順次切り替えて、アナログスイッチ３の各固定接点ａ、ｂの２点のみに順次、選択的に接続し、サブディスプレイ７のＲＧＢ基本画素のＲＧ、ＢＲ、ＧＢに順次切り替わるようにアナログスイッチ３の各３点切替アナログスイッチを切り替え制御している。
【００５５】
この結果、サブディスプレイ用メモリエリア１ｓに２／３に間引かれて記憶された表示データはそのＲＧ、ＢＲ、ＧＢの順序を間違えることなく正確にサブディスプレイ７のＲＧ、ＢＲ、ＧＢに供給されて表示されるというようにアナログ切替スイッチ３の切替用可動接点ｔを固定接点ａ、ｂの２点のみに選択的に接続して、ＲＧ、ＢＲ、ＧＢを順に選択して表示駆動するという本発明の間引き表示制御手段である２選択駆動方式を使用している。
【００５６】
上記２選択駆動方式における間引き表示制御手段について詳しく説明すると、この間引き表示制御手段は、図４に示したようにサブディスプレイ用メモリエリア１ｓに２／３に間引かれて記憶された表示データを当該間引かれた状態に応じてサブディスプレイ７に間引き表示するもの、つまりアナログスイッチ３の切替用可動接点ｔをサブディスプレイ用メモリエリア１ｓからのＲＧ、ＢＲ、ＧＢの順序に同期させて固定接点ａ、ｂの２点のみに選択的に接続することにより、サブディスプレイ用メモリエリア１ｓのＲＧ、ＢＲ、ＧＢをその順序に対応して正確にサブディスプレイ７のＲＧ、ＢＲ、ＧＢに順次供給して選択的に表示制御するという表示駆動方式でサブディスプレイ７用の表示データをサブディスプレイ７に間引き表示制御するものである。
【００５７】
なお、上記実施形態では、サブディスプレイ用メモリエリア１ｓに対する間引き記憶方法およびサブディスプレイ７に対する間引き表示方法として１／３または２／３間引き方法を例に説明したが、本発明はこのような間引き方法に限定されるものでないことは勿論である。
【００５８】
図１〜図４に示した実施形態の液晶表示装置においては、ドライバ兼表示メモリ１からアナログスイッチ３を介してメインディスプレイ５に供給される表示データを含む信号は、メインディスプレイ５が設けられている例えばガラス基板（以下、単に基板と称する）上に形成されていて、かつメインディスプレイ５に一端から他端に配設された複数のメインディスプレイ用信号線を介してメインディスプレイ５の各画素を構成する例えば薄膜トランジスタ（ＴＦＴ）に供給されている。
【００５９】
すなわち、複数のメインディスプレイ用信号線は、メインディスプレイ５においてマトリックス状に配設された複数の画素の各ＴＦＴにメインディスプレイ用の表示データを含む信号を供給し得るように基板の一端から反対側の他端まで配線されている。更に換言すると、複数のメインディスプレイ用信号線は、図１〜４においてアナログスイッチ３側からサブディスプレイ７側に向かってメインディスプレイ５に配線されている。なお、この複数のメインディスプレイ用信号線に直行するように複数の走査線が対向して設けられている。
【００６０】
そして、メインディスプレイ５に供給される表示データを含む信号は、メインディスプレイ用の基板の一端に位置する各メインディスプレイ用信号線の一端から各メインディスプレイ用信号線を介してメインディスプレイ５の各画素のＴＦＴに入力されるとともに、メインディスプレイ５用の基板の他端に位置する複数のメインディスプレイ用信号線の他端から出力されている。
【００６１】
また、メインディスプレイ用の基板の他端に位置する複数のメインディスプレイ用信号線の他端は、複数のサブディスプレイ用接続信号線を介してサブディスプレイ７に接続されている。なお、この複数のサブディスプレイ用接続信号線は、図１〜図４において符号１０１で示すものである。
【００６２】
従って、ドライバ兼表示メモリ１のサブディスプレイ用メモリエリア１ｓに記憶されたサブディスプレイ７用の表示データを含む信号は、ドライバ兼表示メモリ１からアナログスイッチ３を介してメインディスプレイ５の複数のメインディスプレイ用信号線の一端に供給され、メインディスプレイ５においてマトリックス状に配設された画素に対して複数の複数のメインディスプレイ用信号線から供給され、複数のメインディスプレイ用信号線の他端から複数のサブディスプレイ用接続信号線１０１を介してサブディスプレイ７に供給される。
【００６３】
このようにサブディスプレイ７に供給される表示データを含む信号は、メインディスプレイ５に配設された複数のメインディスプレイ用信号線を介してサブディスプレイ７に供給され、サブディスプレイ７においてマトリックス状に配設された複数の画素に供給されることにより、サブディスプレイ７を表示駆動するための信号線を別途余分に必要とせず、全体の配線を低減でき、製造上の歩留りの向上および経済化を図ることができる。
【００６４】
なお、上記では、サブディスプレイ７を表示駆動するための複数の信号線は、メインディスプレイ５を表示駆動するためのメインディスプレイ５に配線されている複数のメインディスプレイ用信号線を利用すると説明しているが、本発明はこれに限定されるものでなく、この複数のメインディスプレイ用信号線を利用することなく、ドライバ兼表示メモリ１から別経路で設けてもよいものであることは勿論のことである。
【図面の簡単な説明】
【００６５】
【図１】本発明の一実施形態に係わる液晶表示装置の構成を概略的に示す図である。
【図２】図１に示した実施形態の液晶表示装置においてドライバ兼表示メモリのメインディスプレイ用メモリエリアとサブディスプレイ用メモリエリアのいずれかおよびメインディスプレイとサブディスプレイのいずれかのみにテキストデータまたは人形の顔の絵を記憶した場合の例を示す説明図である。
【図３】図１に示す実施形態の液晶表示装置に使用されているドライバ兼表示メモリ、メインディスプレイ、サブディスプレイの構成に対する詳細なメモリビット構成および画素構成を示す説明図である。
【図４】図１に示す実施形態の液晶表示装置においてサブディスプレイ用メモリエリアに対して表示データを２／３に間引いて記憶するとともに、この間引かれた表示データを表示駆動する２選択駆動方式の説明図である。
【符号の説明】
【００６６】
１    ドライバ兼表示メモリ
１ｍ    メインディスプレイ用メモリエリア
１ｓ    サブディスプレイ用メモリエリア
３    アナログスイッチ
５    メインディスプレイ
７    サブディスプレイ
３１、３２、３３、…３ｍ、３ｎ    ３点切替アナログスイッチ
【図１】
2005215643.tif 000003
【図２】
2005215643.tif 000004
【図３】
2005215643.tif 000005
【図４】
2005215643.tif 000006